(57)【特許請求の範囲】
【請求項１】
テレビジョン信号中のクロマ信号を搬送波に応じて復調するクロマ信号復調回路と、該クロマ信号復調回路から出力される第１の色差信号と第２の色差信号とを移相する移相回路とを備え、前記移相回路の移相量に基づいて色相調整を行う色相調整回路において、
前記移相回路は、座標上で(x,y)と表わされる入力信号をθ移相させ、出力信号(X,Y)に変換する移相回路であって、
エミッタが共通接続されベース間に入力信号θが印加される第１及び第２の差動トランジスタと、前記共通接続されたエミッタに接続された電流源とを備え、前記第１及び第２の差動トランジスタのコレクタ電流として出力信号Sinθ及び-Sinθに近似した電流を発生するSinθ発生回路と、
前記入力信号θに応じた出力信号Cosθを発生するCosθ発生回路と、
前記入力信号xと前記出力信号Cosθとの乗算を行う第１乗算回路と、
前記入力信号yと前記出力信号Sinθとの乗算を行う第２乗算回路と、
前記入力信号xと前記出力信号Sinθとの乗算を行う第３乗算回路と、
前記入力信号yと前記出力信号Cosθとの乗算を行う第４乗算回路と、
前記第１及び第２乗算回路の出力信号を加算する第１加算回路と、
前記第３及び第４乗算回路の出力信号を加算する第２加算回路とを備え、
前記入力信号θとして色相調整電圧を加え、座標上で(x,y)と表わされる入力信号として色差信号を与え、前記第１及び第２加算回路より、θだけ移相された色差信号を得るようにしたことを特徴とする色相調整回路。
【請求項２】
テレビジョン信号のクロマ信号を搬送波に応じて復調するクロマ信号復調回路と、
エミッタが共通接続されベース間に、色相調整用の入力信号θが印加される第１及び第２の差動トランジスタと、前記共通接続されたエミッタに接続された電流源とを備え、前記第１及び第２の差動トランジスタのコレクタ電流として出力信号Sinθ及び-Sinθに近似した電流を発生するSinθ発生回路と、
色相調整用の入力信号θに応じた出力信号Cosθを発生するCosθ発生回路と、
前記クロマ信号復調回路からの第１の色差信号xと前記Cosθ発生回路の出力信号Cosθとの乗算を行う第１乗算回路と、
前記クロマ信号復調回路からの第２の色差信号yと前記Sinθ発生回路の出力信号Sinθとの乗算を行う第２乗算回路と、
前記クロマ信号復調回路からの第１の色差信号xと前記出力信号Sinθとの乗算を行う第３乗算回路と、
前記クロマ信号復調回路からの第２の色差信号yと前記出力信号Cosθとの乗算を行う第4乗算回路と、
前記第１及び第２乗算回路の出力信号を加算し、x・Cosθ+y・Sinθを得る第１加算回路と、
前記第３及び第４乗算回路の出力信号を加算し、- x・Sinθ+y・Cosθを得る第２加算回路とを備え、前記第１及び第２加算回路より、θだけ移相された色差信号を得るようにしたことを特徴とする色相調整回路。
【請求項３】
前記θは０．８ラジアン以下であることを特徴とする請求項１又は請求項２に記載の色相調整回路。
【請求項４】
前記Cosθ発生回路は入力信号θに応じて出力信号Sin(θ/2)を発生するSin(θ/2)発生回路と、
該Sin(θ/2)発生回路の出力信号を２乗したSin2(θ/2)を発生する２乗回路と、
該２乗回路の出力信号を２倍する増幅回路と、
該増幅回路の出力信号を直流分から減算する減算回路とを備えることを特徴とする請求項１乃至３のいずれかに記載の色相調整回路。
【発明の詳細な説明】
【０００１】
【発明の属する技術分野】
本発明は、テレビジョン受像機などに使われる色相調整回路に関するものであり、特にバイポーラトランジスタで構成される色相調整回路に関する。
【０００２】
【従来の技術】
一般にテレビジョン受像機ではクロマ信号の色合い(TINT)を視聴者がボリューム等で外部から自由に調整できるようになっている。色合いを調整するにはクロマ信号の復調軸（ｘ軸、ｙ軸）をいずれかの方向にずらせばよい。復調軸をずらすには復調器に加える3.58MHZの色搬送波の位相を変えればよい。
【０００３】
図６は、3.58MHZの色搬送波の位相を変えるための色相調整回路を示す。図６において、入力端子１には搬送色信号が印加され、端子２には水平同期パルスが印加されているとする。
【０００４】
バースト分離回路３は、入力端子１から入力される搬送色信号からバースト信号のみを前記水平同期パルスに基づき抽出する。抽出されたバースト信号は、CW(連続波)発生回路４によってバーストの連続波に変換される。
【０００５】
この連続波は、移相回路５を通してクロマ信号の復調回路６に印加される。復調回路６には、端子７からクロマ信号が印加されており、B-Y色差信号とR-Y色差信号の２つを端子８、９に復調する。この２つを復調するのに連続波も２種類が必要であり、移相回路５は、B-Y色差信号用とR-Y色差信号用の２つ連続波を復調回路６に供給している。
【０００６】
視聴者がボリューム等で移相回路５の移相量を変えれば、前述の原理にしたがいクロマ信号の色合い(TINT)を自由に調整できる。
【０００７】
しかしながら、上述した回路では、色合いの調整を行えるのが復調回路６に供給される信号に限られていた。すなわち、変調がかかったクロマ信号に対しては色相調整することができるものの、復調後のクロマ信号に対しては色相調整ができなかった。
【０００８】
ところで、最近ではＤＶＤプレーヤとＴＶ受像機を接続すると、外部からコンポーネント信号(Y,Cb,Cr)がＴＶ受像機に印加されるがこのような信号では、クロマ復調が既に施されており、上述した従来の回路では色合い調整をすることができなかった。
【０００９】
【課題を解決するための手段】
本願に開示される発明の中、主なものを説明すれば以下の通りである。
【００１０】
本発明は、テレビジョン信号中のクロマ信号を搬送波に応じて復調するクロマ信号復調回路と、該クロマ信号復調回路から出力される第１の色差信号と第２の色差信号とを移相する移相回路とを備え、前記移相回路の移相量に基づいて色相調整を行う色相調整回路において、
前記移相回路は、座標上で(x,y)と表わされる入力信号をθ移相させ、出力信号(X,Y)に変換する移相回路であって、
エミッタが共通接続されベース間に入力信号θが印加される第１及び第２の差動トランジスタと、前記共通接続されたエミッタに接続された電流源とを備え、前記第１及び第２の差動トランジスタのコレクタ電流として出力信号Sinθ及び-Sinθに近似した電流を発生するSinθ発生回路と、
前記入力信号θに応じた出力信号Cosθを発生するCosθ発生回路と、
前記入力信号xと前記出力信号Cosθとの乗算を行う第１乗算回路と、
前記入力信号yと前記出力信号Sinθとの乗算を行う第２乗算回路と、
前記入力信号xと前記出力信号Sinθとの乗算を行う第３乗算回路と、
前記入力信号yと前記出力信号Cosθとの乗算を行う第４乗算回路と、
前記第１及び第２乗算回路の出力信号を加算する第１加算回路と、
前記第３及び第４乗算回路の出力信号を加算する第２加算回路とを備え、
前記入力信号θとして色相調整電圧を加え、座標上で(x,y)と表わされる入力信号として色差信号を与え、前記第１及び第２加算回路より、θだけ移相された色差信号を得るようにしたことを特徴とする。
【００１５】
【発明の実施の形態】
次に、図１を参照しながら本発明の実施の形態について説明する。ACC（自動カラーコントロール）回路１０は、入力端子１１からの複合クロマ信号のレベルを自動調整する。ＢＰＡ（バンドパスアンプ）１２は、このACC回路１０から出力される複合クロマ信号からクロマ信号とバースト信号とを分離抽出する。
【００１６】
また、ＰＬＬ回路１３は、位相比較回路、ＬＰＦ、ＶＣＯを内蔵し、前記バースト信号に同期した連続波cwを発生する。位相回路１４はこのＰＬＬ回路１３の出力信号に応じて、復調用の２種類の搬送波を発生する（ただし、可変移相は行わない）。復調回路１５は、ＢＰＡ１２によって分離抽出されたクロマ信号を位相回路１４から発生された２つの搬送波に応じて復調し、Ｂ−Ｙ信号とＲ−Ｙ信号を発生する。
【００１７】
また、ＤＶＤ(Digital Video Disc)１６は、映像信号源としてのＢ−Ｙ信号とＲ−Ｙ信号を発生する。スイッチ１７、１８は映像信号源を切り換える。TINT回路１９（色相調整用の位相回路）は、視聴者によって制御される外部からのTINT調整用の制御電圧に応じてスイッチ１７、１８からのＢ−Ｙ信号とＲ−Ｙ信号の位相を変化させる。
【００１８】
次に、上述した構成のクロマ信号の復調回路の動作を説明する。入力端子１１から入力された複合クロマ信号はそのレベルがACC回路１０で自動調整される。レベルが自動調整された複合クロマ信号は、ＢＰＡ１２でクロマ信号とバースト信号とに分離される。ＰＬＬ回路１３は位相比較回路、ＬＰＦ、ＶＣＯを内蔵し前記バースト信号に同期した連続波cwを発生する。
【００１９】
この連続波cwは、位相回路１４で、復調用の２種類の搬送波に変換され、復調回路１５に印加される。すると、復調回路１５においてクロマ信号から色差信号Ｂ−Ｙ信号とＲ−Ｙ信号が得られ、それぞれスイッチ１７、１８に印加される。
【００２０】
一方、スイッチ１７、１８にはＤＶＤ１６からの色差信号Ｂ−Ｙ信号とＲ−Ｙ信号も印加されており、スイッチ１７、１８の選択状態に応じて何れかの信号がTINT回路１９に印加される。
【００２１】
TINT回路１９は、入力信号の移相を行い、それにより色相調整が可能になる。図１に示したシステムでは復調された信号即ち、色差信号に対して移相しているのでＤＶＤ１６からの信号にも色相調整できる。
【００２２】
次に、TINT回路１９の原理について説明する。座標軸上で(x,y)と表わされる入力信号をθだけ移相させ、出力信号(X,Y)に変換するためには、座標変換公式より、次の式（１）に示す関係で入力信号を変換すればよい。
【００２３】
【数１】
0004251787.tif 000002
【００２４】
つまりは、回路上で、X= x・Cosθ+y・SinθとY=-x・Sinθ+y・Cosθの関係式が作成できればよい。ところで、Sin関数とCos関数の関係は、式（２）に示すように表わされる。
【００２５】
【数２】
0004251787.tif 000003
【００２６】
式（２）からは、以下に示される式（３）、式（４）が導かれるので、最終的に、Cosθは式（５）で表わされる。したがって、Cosθは、Sin(θ/2)が得られれば、作成できることは明らかである。
【００２７】
【数３】
0004251787.tif 000004
【００２８】
【数４】
0004251787.tif 000005
【００２９】
【数５】
0004251787.tif 000006
【００３０】
従って、入力信号θから出力信号Sin(θ)を作成できれば、(x,y)と表わされる入力信号をθ回転させ、出力信号(X,Y)に変換する位相回路、即ちTINT回路が得られる。
【００３１】
次に、入力信号θから出力信号Sinθを作成する回路について説明する。図２に示す、差動増幅器により入力信号θから出力信号Sinθにほぼ等価な出力を作成することができる。図２における入力端子３０、３１間には、入力信号としてθが印加され、この入力信号θに応じて、電流源３２の定電流I0が電流Ic1と電流Ic2としてトランジスタ３３、３４のコレクタに流れている。
【００３２】
そうすると、一般の差動増幅器の入力出力の関係、指数関数とtanhとの関係から電流Ic1と電流Ic2は、式（６）、（７）のように表すことができる。
【００３３】
【数６】
0004251787.tif 000007
【００３４】
【数７】
0004251787.tif 000008
【００３５】
ここで、式（６）、（７）のtanhに着目するとSinとtanhは比較的近い値になることが分かる。tanhθは数学のテーラー展開を行うと式（８）で表される。Sinθは数学のテーラー展開を行うと式（９）で表される。ここで、θはラジアン単位であるが、実際にTINTで移相させる量は0.7や0.8程度であり比較的小さな値である。このため、式（８）と式（９）はθの３乗の係数が少し異なるが極めて近いことが分かる。
【００３６】
【数８】
0004251787.tif 000009
【００３７】
【数９】
0004251787.tif 000010
【００３８】
そうすれば、式（６）と式（７）は式（１０）と式（１１）によって近似される。式（１０）と式（１１）に示される「１」は、入力信号に依存しない一定電流、即ち直流分を示している。
【００３９】
【数１０】
0004251787.tif 000011
【００４０】
【数１１】
0004251787.tif 000012
【００４１】
従って、式（１０）と式（１１）より図２の差動増幅器は、使い方（少ない移相量）により入力信号θから出力信号Sinθにほぼ等価な出力を作成することができることが明らかとなる。
【００４２】
次に図２の差動増幅器を利用して座標軸上で(x,y)と表わされる入力信号をθだけ移相させ、出力信号(X,Y)に変換する回路を図３に示す。図３の入力端子４０には信号x（色差信号Ｂ−Ｙに相当）が印加され、入力端子４１には信号y（色差信号Ｒ−Ｙに相当）が印加され、制御端子４２にはTINT調整用の信号θが加わる。
【００４３】
図３のSinθ発生回路４３は、図２の差動増幅器により構成できる。又、Cosθを得るには式５を回路的に構成すればよい。Cosθを得るための回路は、図３に示すように、Sin(θ/2)発生回路４４、Sin(θ/2)発生回路の出力信号を２乗したSin2(θ/2)を発生する２乗回路４５、該２乗回路４５の出力信号を２倍する増幅回路４６、該増幅回路４６の出力信号を１（直流成分発生器４８の出力信号）から減算する減算回路４７、正負の出力信号を発生する増幅器４９から構成することができる。
【００４４】
その動作については後述する。これらの回路により、端子５０乃至５３にはsinθ,-Sinθ,Cosθ,-Cosθが得られる。
【００４５】
そこで、第１乗算回路５４及び第４乗算回路５５に印加されるCosθは、端子５２から得ることができる。又、第２乗算回路５６及び第３乗算回路５７に印加されるSinθ及び-Sinθは、端子５０、５１から得ることができる。
【００４６】
これにより、第１乗算回路５４の出力端にはx・Cosθが得られ、第２乗算回路５６の出力端にはy・Sinθが得られる。第３乗算回路５７の出力端には-x・Sinθが得られる。さらに、第４乗算回路５５の出力端にはy・Cosθが得られる。そして、第１乗算回路５４の出力と第２乗算回路５６の出力とが第１加算器５８で加算され、第３乗算回路５７の出力と第４乗算回路５５の出力とが第２加算器５９で加算される。
【００４７】
このようにして、図３の回路によれば、X= x・Cosθ+y・SinθとY=-x・Sinθ+y・Cosθという関係が作成されるので、座標軸上で(x,y)と表わされる入力信号をθ移相させ出力信号(X,Y)に変換することができる。
【００４８】
図４は、図３のSinθ発生回路４３、Sin(θ/2)発生回路４４の具体例を示す回路図である。図４において、端子６０、６１間には信号θが加わり、差動トランジスタ６２、６３で構成される差動増幅器６４と、差動トランジスタ６５、６６で構成される差動増幅器６７とに印加される。差動増幅器６４の動作原理は、図２に示した差動増幅器のそれと同じであり、端子６８、６９にSinθと- Sinθを得ることができる。
【００４９】
差動増幅器６７のトランジスタ６５、６６のエミッタにはダイオード７０、７１が接続されている。このダイオード７０、７１の働きにより、端子７２、７３にはSin(θ/2)と-Sin(θ/2)とが得られる。
【００５０】
図３において、２乗回路４５、第１乗算回路５４乃至第４乗算回路５５は、図５に示すような掛け算回路により構成できる。図２において、入力端子８０、８１には、一方の入力信号が印加され、入力端子８２、８３には他方の入力信号が印加され両信号の掛け算が行われる。
【００５１】
トランジスタ８４、８５で構成される差動増幅器８６と、トランジスタ８７、８８で構成される差動増幅器８９が掛け算回路の本体を成しており、トランジスタのベースからの信号とエミッタ側からの信号とで掛け算が行われる。
【００５２】
そして、掛け算結果の一部がトランジスタ８４のコレクタに電流として発生し、掛け算結果の一部がトランジスタ８８のコレクタに電流として発生する。トランジスタ８４のコレクタ電流は、トランジスタ９０、９１で電流反転されて出力に伝達される。
【００５３】
又、トランジスタ８８のコレクタ電流は、トランジスタ９２、９３、トランジスタ９４、９５で電流反転されて出力に伝達される。その結果、出力端子９６には直流分が相殺された乗算結果（y・Sinθ）が発生する。
【００５４】
【発明の効果】
本発明によれば、クロマ信号復調回路からの第１の色差信号と第２の色差信号とを移相する移相回路を備え、色相調整をこの移相回路の移相量に基づいて調整したのでＤＶＤプレーヤなど外部からコンポーネント信号(Y,Cb,Cr)に対しても簡単にテレビジョンの色合い調整をすることができる。
【００５５】
また、上記位相回路は、Sinθ発生回路と、Cosθ発生回路と、４つの乗算回路を使用しただけで簡単に構成できる。
【００５６】
また、Sinθ発生回路、Cosθ発生回路及び乗算回路は、バイポーラトランジスタと抵抗により構成できるので集積回路化に好適な移相回路を提供できる。
【図面の簡単な説明】
【図１】本発明の実施形態に係るクロマ信号の復調回路のブロック図である。
【図２】本発明の実施形態に係るSinθ発生回路図である。
【図３】本発明の実施形態に係る移相回路のブロック図である。
【図４】図３のSinθ発生回路４３、Sin(θ/2)発生回路４４の具体回路例を示す回路図である。
【図５】図３の２乗回路４５、第１乗算回路５４乃至第４乗算回路５５の具体回路例を示す回路図である。
【図６】従来例に係るクロマ信号の復調回路ブロック図である。
【符号の説明】
４３    Sinθ発生回路
４４    Sin(θ/2)発生回路
４５    ２乗回路
４６    増幅回路
４７    減算回路
５４    第１乗算回路
５５    第４乗算回路
５６    第２乗算回路
５７    第３乗算回路
【図１】
0004251787.tif 000013
【図２】
0004251787.tif 000014
【図３】
0004251787.tif 000015
【図４】
0004251787.tif 000016
【図５】
0004251787.tif 000017
【図６】
0004251787.tif 000018